(57)【要約】【課題】  録音信号レベルの不足を解消し、側音のない固定電話機にも対応可能とした録音アダプタを提供することにある。【解決手段】  この録音アダプタは、固定電話機とパソコンの間に接続して通話内容の録音に使用するものである。この録音アダプタでは、バンドパスフィルタＢＰＦで通話信号を音声録音に適した一定帯域の周波数信号に濾過し、その周波数信号を、パソコンから電力供給される増幅回路ＡＭＰで増幅して録音信号として出力する。また、増幅回路ＡＭＰが出力する録音信号のレベルは、レベル調整回路ＬＣで調整する。また、上記録音アダプタは、側音信号を出力するエレクトレットマイクＥＣＭも備えている。【選択図】図２
2013240026.tif 000002
【特許請求の範囲】
【請求項１】
固定電話機とパソコンのマイク入力ジャック端子との間に接続して通話内容の録音に使用する録音アダプタであって、
前記固定電話機におけるハンドセットの受話スピーカ信号線から取り出した通話信号を入力して音声録音に適した一定帯域の周波数信号を通過させるバンドパスフィルタと、
該バンドパスフィルタからの周波数信号を、前記パソコンのマイク入力ジャック端子からの電力供給により増幅して録音信号として前記マイク入力ジャック端子に出力する増幅回路と、
該増幅回路が出力する録音信号のレベルを調整するレベル調整回路と、
を備えることを特徴とする録音アダプタ。
【請求項２】
前記パソコンのマイク入力ジャック端子からの電力供給により送話者の音場を集音して前記増幅回路が増幅して出力する録音信号と共に前記マイク入力ジャック端子に側音信号を出力するエレクトレットマイクを備えることを特徴とする請求項１記載の録音アダプタ。
【発明の詳細な説明】
【技術分野】
【０００１】  本発明は、固定電話機の通話内容をパソコンで録音するために使用する録音アダプタに関するものである。
【背景技術】
【０００２】  従来の電話機には、パソコンのＵＳＢ端子に接続することで通話内容をパソコンで録音するインターフェイスを備えたものが提案されている（例えば、特許文献１参照）。【０００３】  また、図３に示すように、既存の固定電話機の本体側のモジュラージャックＭＪ１とハンドセットが接続されるモジュラージャックＭＪ２との間に接続して分岐することで、録音機器等で通話内容を録音する録音アダプタも商品化されている。この録音アダプタは、電話機のハンドセットの受話スピーカ信号線に接続する接続線の選択が可能なスイッチＳＷと、直流カット用のコンデンサＣ１，Ｃ２を、一定帯域の周波数信号のみ通過させるバンドパスフィルタＢＰＦとを備えている。この録音アダプタでは、固定電話機の通話信号、録音に適した帯域のみ通過させることで、ピンプラグＰから出力し、これに接続した録音機器等で録音するものであった。
【先行技術文献】
【特許文献】
【０００４】
【特許文献１】  特開２００３−８７３１号公報（図１）
【発明の概要】
【発明が解決しようとする課題】
【０００５】  上述したパソコンに接続可能なインターフェイスを備えた従来の電話機では、電話機が高価になるだけでなく、電話機ごと交換しなければ、通話音声の録音ができないという問題があった。【０００６】  また、上述した従来の録音アダプタの場合、既存の固定電話機に取り付けるだけで通話を録音することが可能となり、簡便で安価なものとすることができる。【０００７】  現在、電話回線は多様化し、通信回線としてアナログ、ＩＳＤＮ、ＡＤＳＬ、ＦＴＴＨ光回線を利用者が選択し、アナログ回線以外は全てターミナルアダプタでアナログ端末対応の機能に変換することで利用している。このように、相手側との通信がどの通信回線を利用して通話しているのか多岐にわたるため、通信レベルは法で定められた０ｄＢｍ〜−３０ｄＢｍの範囲に設定されている。また、信号を取り出す受話スピーカ信号線は、回線による通話レベルの変化とは別に、各電話機メーカの受話スピーカの種類、例えばセラミックスピーカやダイナミックスピーカのインピーダンスによってそれぞれ信号線のレベルが異なるため、レベルの範囲が広範囲にわたるものとなっている。【０００８】  このため、上記録音アダプタのように、電話通話特性で３００Ｈｚ〜３．４ｋＨｚの周波数信号を濾過するバンドパスフィルタＢＰＦを使用すると、挿入損失のため録音に供する範囲が限定的になって、録音信号レベルが不足するという問題があった。【０００９】  また、以前より固定電話機では、側音を受話側に混入させることで通話に安心感を与えると共に送話者の音声を抑制することが採用されていた。しかし、電話機内でデジタル処理を行い且つ側音を混入すると、ハンドセットの送話マイクで拾った信号の処理時間の遅延と自分の肉声によって、エコー現象が生じることがある。そこで、現在では、固定電話機でも携帯電話のようにデジタル通信の送信信号と受信信号をそれぞれ別チャンネルで送受信することでエコー現象を抑えるエコーキャンセラ等の手法を用いて漏洩対策を施し、側音の入らない通話方式を採用したものもある。【００１０】  前述した従来の録音アダプタあるいはそれに類する多くの商品は、価格を抑えるため側音が入る固定電話機専用のものであった。このような従来の録音アダプタを使用して側音のない固定電話機の通話を録音すると、前述したように録音信号レベルが不足するだけでなく、相手側の音声のみしか録音することができないという問題も生じるものであった。また、アナログ電話回線利用の場合、電話局線から電話機に入る前で通話信号を取り出して録音に供することで送受話を録音することも可能であるが、送話と受話の通信レベル差が大きいため、良質な録音に適さないという問題があった。【００１１】  本発明が解決しようとする課題は、上記従来技術の問題点を解決し、録音信号レベルの不足を解消し、側音のない固定電話機にも対応可能とした録音アダプタを提供することにある。
【課題を解決するための手段】
【００１２】  本発明の録音アダプタは、固定電話機とパソコンのマイク入力ジャック端子との間に接続して通話内容の録音に使用する録音アダプタであって、前記固定電話機におけるハンドセットの受話スピーカ信号線から取り出した通話信号を入力して音声録音に適した一定帯域の周波数信号を通過させるバンドパスフィルタと、該バンドパスフィルタからの周波数信号を、前記パソコンのマイク入力ジャック端子からの電力供給により増幅して録音信号として前記マイク入力ジャック端子に出力する増幅回路と、該増幅回路が出力する録音信号のレベルを調整するレベル調整回路と、を備えている。【００１３】  また、上記録音アダプタは、前記パソコンのマイク入力ジャック端子からの電力供給により送話者の音場を集音して前記増幅回路が増幅して出力する録音信号と共に前記マイク入力ジャック端子に側音信号を出力するエレクトレットマイクを備えている。
【発明の効果】
【００１４】  本発明の録音アダプタでは、レベル調整回路と増幅回路を設け、更にパソコンからの電力供給を受けているので、録音信号レベルの不足を解消して広範囲の録音信号レベルの調整を使用者自信で行うことができ、パソコンの電力によって十分な利得に増幅することができる。【００１５】  また、送話者の音場を集音するエレクトレットマイクを備えて、このマイクから得た側音信号を増幅した録音信号と共に出力しているので、側音のない固定電話機に使用しても送話者の音場を録音することができる。【００１６】  更に、既存の固定電話機から簡便に通話を録音することができるだけでなく、パソコンのＯＳを利用して録音することで、膨大な通話内容を録音することができる。
【図面の簡単な説明】
【００１７】
【図１】  本発明の一実施例に係る録音アダプタの回路構成を示すブロック図である。
【図２】  図１に示す録音アダプタを側音のない固定電話機にも対応するように変更した一部変更例を示すブロック図である。
【図３】  従来の録音アダプタの回路構成を示すブロック図である。
【発明を実施するための最良の形態】
【００１８】  図１に示す録音アダプタは、固定電話機の本体にハンドセットを取り付けるモジュラージャック等に接続される固定電話機本体側のモジュラージャックＭＪ１と、ハンドセットのプラグが差し込まれるハンドセット側のモジュラージャックＭＪ２との間の信号線に、接続状態を製造メーカの仕様に合わせて選択可能にするように接続されたスイッチＳＷと、このスイッチＳＷによって取り出した信号の直流成分をカットするコンデンサＣ１，Ｃ２と、そのコンデンサＣ１，Ｃ２を介して得られる信号の一定周波数帯域、例えば電話通話特性で３００Ｈｚ〜３．４ｋＨｚの周波数信号を濾過するバンドパスフィルタＢＰＦとを備えている。【００１９】  また、この録音アダプタは、バンドパスフィルタＢＰＦからの信号を増幅する増幅回路ＡＭＰと、この増幅回路ＡＭＰを制御して増幅回路ＡＭＰが出力する録音信号のレベルを調整するレベル調整回路ＬＣとを備えている。【００２０】  上記バンドパスフィルタＢＰＦ、レベル調整回路ＬＣ、増幅回路ＡＭＰは、何れもピンプラグＰを介してパソコンから供給される電力によって駆動される。本実施例におけるバンドパスフィルタＢＰＦは、抵抗とコンデンサを組み合わせたアッテネータ等で構成されている。また、増幅回路ＡＭＰは、パソコンからの電力供給によって蓄電可能なコンデンサとトランジスタ又はリニアーＩＣ等を組み合わせることにより構成されている。更に、レベル調整回路ＬＣは、増幅回路ＡＭＰのトランジスタ等を制御する可変抵抗等により構成されている。【００２１】  この録音アダプタでは、取り出した通話信号をバンドパスフィルタＢＰＦで濾過すると挿入損失により録音に供する範囲が限定的になって録音信号レベルが不足する状態を、増幅回路ＡＭＰによって増幅することで十分なレベルにまで高めている。特に、この増幅回路ＡＭＰは、パソコン側から十分な電力を得て半導体増幅を行っており、しかもレベル調整回路ＬＣによって使用者が自らレベル調整することで、十分且つ適当な録音信号レベルに設定することができる。【００２２】  図２に示す録音アダプタは、図１に示す構成に、本機使用者側の送話の音場をハンドセットのマイクを使用せず別個に集音するエレクトレットマイクＥＣＭを設けることで回路の簡素化を行って且つ、側音のない固定電話機にも対応できるように変更したものである。このエレクトレットマイクＥＣＭは、エレクトレットコンデンサマイク等からなり、増幅回路ＡＭＰ出力側とピンプラグＰ１との間から引き出されて設けられたピンジャックＪ２、ピンプラグＰ２を介して接続されている。尚、ピンプラグＰ１は、図１に示すピンプラグＰと同様に、パソコンのマイク入力ジャック端子Ｊ１に接続される。また、エレクトレットマイクＥＣＭの電力もＰ１，Ｐ２を介してパソコンから供給される。【００２３】  この録音アダプタでは、前述したように通話信号をバンドパスフィルタＢＰＦで濾過した信号を増幅回路ＡＭＰで増幅すると共にレベル調整回路ＬＣで設定することにより適度に高められたレベルの信号がピンプラグＰ１に印加される。このときに、エレクトレットマイクＥＣＭが集音した送話者の音場による集音信号がピンプラグＰ２及びピンジャックＪ２を介して増幅された信号と共にピンプラグＰ１に印加される。これにより、固定電話機の本体からの通話信号に基づく増幅された信号と、エレクトレットマイクＥＣＭが集音した送話者の音場に基づく集音信号がミキシングされて録音信号がピンプラグＰ１からパソコンのマイク入力ジャック端子Ｊ１を介してパソコンに印加される。この結果、固定電話機電子回路内で送受信号を分けて処理しエコーキャンセラ等により側音のない固定電話機であっても相手側の音声だけでなく送話者の音声も明瞭に録音することが可能となる。
【符号の説明】
【００２４】ＡＭＰ      増幅回路
ＢＰＦ      バンドパスフィルタ
Ｃ１，Ｃ２  コンデンサ
ＥＣＭ      エレクトレットマイク
Ｊ１        マイク入力ジャック端子
Ｊ２        ピンジャック
ＬＣ        レベル調整回路
ＭＪ１，ＭＪ２  モジュラージャック
Ｐ，Ｐ１，Ｐ２  ピンプラグ
ＳＷ        スイッチ
【図１】
2013240026.tif 000003
【図２】
2013240026.tif 000004
【図３】
2013240026.tif 000005